(57)【要約】      （修正有）【課題】髪をより強く挟むことができ、髪を留めた状態を長持ちさせることができるヘアクリップを提供する。【解決手段】髪を留めるヘアクリップ１であって、髪を挟む第１クリップ片１１０および第２クリップ片１２０と、第１クリップ片と第２クリップ片とを開閉可能に接続するヒンジ部材１３０とを備え、第１クリップ片は、略Ｖ字形状の複数の第１歯を有し、複数の第１歯は第１歯Ａ１１０ａおよび第１歯Ｂ１１０ｂを含み、第２クリップ片は、略Ｖ字形状の複数の第２歯を有し、複数の第２歯は第２歯Ａ１２０ａおよび第２歯Ｂ１２０ｂを含み、第１歯Ａと第２歯Ａとが隣接し、第１歯Ｂと第２歯Ｂとが隣接する。【選択図】図１
0003226029.tif 000002
【実用新案登録請求の範囲】
【請求項１】
髪を留めるヘアクリップであって、
前記髪を挟む第１クリップ片および第２クリップ片と、
前記第１クリップ片と前記第２クリップ片とを開閉可能に接続するヒンジ部材と
を備え、
前記第１クリップ片は、略Ｖ字形状の複数の第１歯を有し、前記複数の第１歯は第１歯Ａおよび第１歯Ｂを含み、
前記第２クリップ片は、略Ｖ字形状の複数の第２歯を有し、前記複数の第２歯は第２歯Ａおよび第２歯Ｂを含み、
前記第１歯Ａと前記第２歯Ａとが隣接し、前記第１歯Ｂと前記第２歯Ｂとが隣接する、ヘアクリップ。
【請求項２】
前記第１歯Ａと前記第２歯Ａとは、それぞれ略Ｖ字の頂点が前記ヒンジ部材の軸方向に位置がずれており、前記第１歯Ｂと前記第２歯Ｂとは、それぞれ略Ｖ字の頂点が前記ヒンジ部材の軸方向に位置がずれている、請求項１に記載のヘアクリップ。
【請求項３】
前記第１歯Ａと前記第２歯Ａとは、それぞれ略Ｖ字の頂点が前記ヒンジ部材の軸方向に垂直な方向に位置がずれており、前記第１歯Ｂと前記第２歯Ｂとは、それぞれ略Ｖ字の頂点が前記ヒンジ部材の軸方向に垂直な方向に位置がずれている、請求項１または請求項２に記載のヘアクリップ。
【請求項４】
前記略Ｖ字形状の角度は、約１０°〜約５０°の範囲である、請求項１から請求項３のいずれか一項に記載のヘアクリップ。
【請求項５】
前記略Ｖ字形状の角度は、約２０°〜約４０°の範囲である、請求項１から請求項３のいずれか一項に記載のヘアクリップ。
【考案の詳細な説明】
【技術分野】
【０００１】
本考案は、ヘアクリップに関し、特に、髪を挟む一対のクリップ片を有するヘアクリップに関するものである。
【背景技術】
【０００２】
従来から、髪を束ねるのに用いられるヘアクリップとして、髪を挟む一対のクリップ片を有するものがある。
【０００３】
例えば、特許文献１にはこのようなヘアクリップが開示されており、このヘアクリップでは各クリップ片に複数のくし歯が設けられており、一対のクリップ片は、一方のクリップ片の複数のくし歯と他方のクリップ片の複数のくし歯とで髪が掴まれるようにヒンジ部材により開閉可能に接続されている。
【先行技術文献】
【特許文献】
【０００４】
【特許文献１】実用新案登録第３１８１９１１号公報
【考案の概要】
【考案が解決しようとする課題】
【０００５】
ところが、特許文献１などに記載の従来のヘアクリップでは、ヘアクリップで留めた髪がヘアクリップに対する髪の滑りにより弛み、ヘアクリップで髪を留めた状態が長持ちしないという問題があった。
【０００６】
本考案は、髪をより強く挟むことができ、これによりヘアクリップで髪を留めた状態を長持ちさせることができるヘアクリップを得ることを目的とする。
【課題を解決するための手段】
【０００７】
本考案は、以下の項目を提供する。
（項目１）
髪を留めるヘアクリップであって、
前記髪を挟む第１クリップ片および第２クリップ片と、
前記第１クリップ片と前記第２クリップ片とを開閉可能に接続するヒンジ部材と
を備え、
前記第１クリップ片は、略Ｖ字形状の複数の第１歯を有し、前記複数の第１歯は第１歯Ａおよび第１歯Ｂを含み、
前記第２クリップ片は、略Ｖ字形状の複数の第２歯を有し、前記複数の第２歯は第２歯Ａおよび第２歯Ｂを含み、
前記第１歯Ａと前記第２歯Ａとが隣接し、前記第１歯Ｂと前記第２歯Ｂとが隣接する、ヘアクリップ。
（項目２）
前記第１歯Ａと前記第２歯Ａとは、それぞれ略Ｖ字の頂点が前記ヒンジ部材の軸方向に位置がずれており、前記第１歯Ｂと前記第２歯Ｂとは、それぞれ略Ｖ字の頂点が前記ヒンジ部材の軸方向に位置がずれている、項目１に記載のヘアクリップ。
（項目３）
前記第１歯Ａと前記第２歯Ａとは、それぞれ略Ｖ字の頂点が前記ヒンジ部材の軸方向に垂直な方向に位置がずれており、前記第１歯Ｂと前記第２歯Ｂとは、それぞれ略Ｖ字の頂点が前記ヒンジ部材の軸方向に垂直な方向に位置がずれている、項目１または項目２に記載のヘアクリップ。
（項目４）
前記略Ｖ字形状の角度は、約１０°〜約５０°の範囲である、項目１から項目３のいずれか一項に記載のヘアクリップ。
（項目５）
前記略Ｖ字形状の角度は、約２０°〜約４０°の範囲である、項目１から項目３のいずれか一項に記載のヘアクリップ。
【考案の効果】
【０００８】
本考案によれば、髪をより強く挟むことができ、これによりヘアクリップで髪を留めた状態を長持ちさせることができるヘアクリップを得ることができる。
【図面の簡単な説明】
【０００９】
【図１】図１は、本考案の実施形態１によるヘアクリップ１を説明するための斜視図である。
【図２】図２は、図１に示すヘアクリップ１をＡ方向から見た平面図であり、ヘアクリップ１を構成する一対のクリップ片１１０、１２０における略Ｖ字形状歯の頂点の位置を示す。
【図３】図３は、本考案の実施形態２によるヘアクリップ２を説明するための斜視図である。
【図４】図４は、図３に示すヘアクリップ２をＢ方向から見た平面図であり、ヘアクリップ２を構成する一対のクリップ片２１０、２２０における略Ｖ字形状歯の頂点の位置を示す。
【図５】図５は、本考案の実施形態３によるヘアクリップ３を説明するための斜視図である。
【図６】図６は、図５に示すヘアクリップ３をＣ方向から見た平面図であり、ヘアクリップ３を構成する一対のクリップ片３１０、３２０における略Ｖ字形状歯の頂点の位置を示す。
【図７】図７は、本考案の実施形態４によるヘアクリップ４を説明するための斜視図である。
【図８】図８は、図７に示すヘアクリップ４をＤ方向から見た平面図であり、ヘアクリップ４を構成する一対のクリップ片４１０、４２０における略Ｖ字形状歯の頂点の位置を示す。
【図９】図９は、本考案の実施形態５によるヘアクリップ５を説明するための斜視図である。
【図１０】図１０は、図９に示すヘアクリップ５をＥ方向から見た平面図であり、ヘアクリップ５を構成する一対のクリップ片５１０、５２０における略Ｖ字形状歯の頂点の位置を示す。
【図１１】図１１は、本考案の実施形態６によるヘアクリップ６を説明するための斜視図である。
【図１２】図１２は、図１１に示すヘアクリップ６をＦ方向から見た平面図であり、ヘアクリップ６を構成する一対のクリップ片６１０、６２０における略Ｖ字形状歯の頂点の位置を示す。
【考案を実施するための形態】
【００１０】
以下、本考案を説明する。
【００１１】
本明細書において、「約」とは、後に続く数字の±１０％の範囲内をいう。
【００１２】
本考案のヘアクリップは、髪をより強く挟むことができ、これによりヘアクリップで髪を留めた状態を長持ちさせることができるヘアクリップを提供することを課題とし、
髪を留めるヘアクリップであって、
髪を挟む第１クリップ片および第２クリップ片と、
第１クリップ片と第２クリップ片とを開閉可能に接続するヒンジ部材と
を備え、
第１クリップ片は、略Ｖ字形状の複数の第１歯を有し、複数の第１歯は第１歯Ａおよび第１歯Ｂを含み、
第２クリップ片は、略Ｖ字形状の複数の第２歯を有し、複数の第２歯は第２歯Ａおよび第２歯Ｂを含み、
第１歯Ａと第２歯Ａとが隣接し、第１歯Ｂと第２歯Ｂとが隣接する、ヘアクリップを提供することにより、上記課題を解決したものである。
【００１３】
従って、本考案のヘアクリップは、髪を挟む第１、第２のクリップ片を有し、第１クリップ片が略Ｖ字形状の複数の第１歯として第１歯Ａおよび第１歯Ｂを含み、第２クリップ片が略Ｖ字形状の複数の第２歯として第２歯Ａおよび第２歯Ｂを含み、第１歯Ａと第２歯Ａとが隣接し、かつ、第１歯Ｂと第２歯Ｂとが隣接するものであれば、その他の構成は特に限定されるものではない。
【００１４】
例えば、隣接する第１歯と第２歯との位置関係は特に限定されるものではなく、任意であり、例えば、以下の第１〜第４の位置関係などが挙げられる。
【００１５】
（第１の位置関係）
例えば、本考案のヘアクリップでは、第１歯Ａと第２歯Ａとは、それぞれ略Ｖ字の頂点がヒンジ部材の軸方向に位置がずれており、第１歯Ｂと第２歯Ｂとは、それぞれ略Ｖ字の頂点がヒンジ部材の軸方向に位置がずれていてもよい。
【００１６】
（第２の位置関係）
あるいは、本考案のヘアクリップでは、第１歯Ａと第２歯Ａとは、それぞれ略Ｖ字の頂点がヒンジ部材の軸方向に垂直な方向に位置がずれており、第１歯Ｂと第２歯Ｂとは、それぞれ略Ｖ字の頂点がヒンジ部材の軸方向に垂直な方向に位置がずれていてもよい。
【００１７】
（第３の位置関係）
あるいは、本考案のヘアクリップでは、第１歯Ａと第２歯Ａとは、それぞれ略Ｖ字の頂点がヒンジ部材の軸方向に位置がずれ、かつ、ヒンジ部材の軸方向に垂直な方向に位置がずれており、第１歯Ｂと第２歯Ｂとは、それぞれ略Ｖ字の頂点がヒンジ部材の軸方向に位置がずれ、かつ、ヒンジ部材の軸方向に垂直な方向に位置がずれていてもよい。
【００１８】
（第４の位置関係）
さらに、第１歯Ａと第２歯Ａとが隣接し、かつ、第１歯Ｂと第２歯Ｂとが隣接するだけでなく、第１歯Ａと第２歯Ｂとが隣接し、かつ第１歯Ｂと第２歯Ａとが隣接してもよい。
【００１９】
この場合、第１歯Ａと第２歯Ｂとの間および第１歯Ｂと第２歯Ａとの間でそれぞれの略Ｖ字の頂点をずらせる方向は、ヒンジ部材の軸方向、およびヒンジ部材の軸方向に垂直な方向の少なくとも一方の方向とすることが可能である。
【００２０】
例えば、第１歯Ａと第２歯Ａとは、それぞれ略Ｖ字の頂点がヒンジ部材の軸方向に位置がずれており、かつ、第１歯Ｂと第２歯Ｂとは、それぞれ略Ｖ字の頂点がヒンジ部材の軸方向に位置がずれており、さらに、第１歯Ａと第２歯Ｂとは、それぞれ略Ｖ字の頂点がヒンジ部材の軸方向に垂直な方向に位置がずれており、第１歯Ｂと第２歯Ａとは、それぞれ略Ｖ字の頂点がヒンジ部材の軸方向に垂直な方向に位置がずれていてもよい。
【００２１】
（略Ｖ字形状の第１歯および第２歯の具体的構造）
さらに、略Ｖ字形状の第１歯および第２歯は、複数の線状体を接続した構造のフレーム体（枠体）でもよいし、１つの線状体を折り曲げた構造のフレーム体でもよい。
【００２２】
例えば、第１歯および第２歯はそれぞれ、第１直線フレームの一端と第２直線フレームとがＶ字形状をなすように、第１直線フレームの一端と第２直線フレームの一端とを接合した構造を有してもよいし、１つの直線フレームを、Ｖ字形状をなすようにその中心部分で折り曲げた構造を有していてもよい。
【００２３】
さらに、第１歯および第２歯の略Ｖ字形状の角度は特に限定されるものではない。
【００２４】
ただし、略Ｖ字形状の角度が大きくなると、隣接する第１歯と第２歯との間で略Ｖ字形状の頂点が遠ざかることから、より多くの髪の毛を隣接する第１歯の側縁と第２歯との側縁との間に挟むことはできるものの、挟んだ髪の毛を隣接する第１歯の側縁および第２歯の側縁で押さえ付ける力が弱くなる。逆に、略Ｖ字形状の角度が小さくなると、隣接する第１歯と第２歯との間で略Ｖ字形状の頂点が近づくことから、挟んだ髪の毛を隣接する第１歯の側縁と第２歯の側縁で押さえ付ける力は強くなるものの、隣接する第１歯の側縁と第２歯の側辺との間で挟むことができる髪の毛（すなわち、ヘアクリップの土台となる髪の毛）が少なくなり、ヘアクリップの土台が弱くなる。
【００２５】
そこで、略Ｖ字形状の角度は、所定の範囲、例えば、約１０°〜約５０°の範囲に設定され、髪に装着したヘアクリップの緩み抑制のためのより好ましい範囲は、約２０°〜約４０°の範囲である。
【００２６】
（第１クリップ片および第２クリップ片の具体的構造）
複数の第１歯を有する第１クリップ片と複数の第２歯を有する第２クリップ片とは、同一の構造であってもよいし、あるいは、複数の第１歯を有する第１クリップ片と複数の第２歯を有する第２クリップ片とは、複数の第１歯の配置と複数の第２歯との配置が異なる構造、あるいは第１歯の略Ｖ字形状の角度と第２歯の略Ｖ字形状の角度とが異なる構造を有していてもよい。
【００２７】
また、第１クリップ片は、複数の第１歯と、複数の第１歯を支持する第１基部とを有し、第２クリップ片は、複数の第２歯と、複数の第２歯を支持する第２基部とを有するものであるが、さらに、第１クリップ片では、隣接する第１歯同士が第１相互接続部を介して接続されていてもよいし、あるいは、隣接する第１歯同士が直に接続されていてもよい。同様に、第２クリップ片では、隣接する第２歯同士が第２相互接続部を介して接続されていてもよいし、あるいは、隣接する第２歯同士が直に接続されていてもよい。さらに、第１クリップ片では、第１歯が第１基部連結部を介して第１基部に連結されていてもよいし、あるいは、第１歯が直に第１基部に接続されていてもよい。同様に、第２クリップ片では、第２歯が第２基部接続部を介して第２基部に接続されていてもよいし、あるいは、第２歯が直に第２基部に接続されていてもよい。
【００２８】
なお、第１クリップ片および第２クリップ片の構成材料は限定されるものではなく、金属、プラスチック、硬質ゴム、セラミックなどを用いることができる。金属材料としては、例えば、アルミニウムは軽量化に有効であり、ステンレスやチタンなどの金属材料は、金属アレルギーの抑制に有効である。
【００２９】
ただし、以下の実施形態１〜６では、第１クリップ片と第２クリップ片とは同一の構造を有するものとし、いずれの実施形態のヘアクリップにおいても、第１クリップ片は、複数の第１歯と、複数の第１歯を支持する第１基部とを有し、第２クリップ片は、複数の第２歯と、複数の第２歯を支持する第２基部とを有するものとする。
【００３０】
実施形態１と実施形態２とは、第１歯と第２歯との位置関係が上記の第１の位置関係となっている点で共通する。ただし、実施形態１では、第１クリップ片（第２クリップ片）における両端の第１歯（第２歯）のみが基部フレームに接続され、両端の第１歯（第２歯）以外のものは基部フレームには接続されず、隣接する第１歯（第２歯）同士が相互に接続されているのに対し、実施形態２では、ヘアクリップの第１クリップ片（第２クリップ片）における複数の第１歯（第２歯）がすべて基部フレームに接続されている点で、実施形態１と実施形態２とは異なる。
【００３１】
実施形態３〜６は、第１歯と第２歯との位置関係が上記の第４の位置関係となっている点で共通する。
【００３２】
また、実施形態３と実施形態４とは、ヘアクリップの第１クリップ片（第２クリップ片）では、複数の第１歯（第２歯）がすべて基部フレームに接続されており、第１歯と第２歯とが交互に配列された第１歯列（ヒンジ部材の軸から遠い方の列）と、第１歯と第２歯とが交互に配列された第２歯列（ヒンジ部材の軸に近い方の列）とが形成されている点で共通する。ただし、実施形態３では、第１歯列と第２歯列の長さが同じであるのに対し、実施形態４では、第１歯列（ヒンジ部材の軸から遠い方の列）の方が第２歯列（ヒンジ部材の軸に近い方の列）より長くなっている点で、実施形態３と実施形態４とは異なる。
【００３３】
実施形態５と実施形態６とは、第１クリップ片（第２クリップ片）における両端の第１歯（第２歯）のみが基部フレームに接続され、両端の第１歯（第２歯）以外のものは基部フレームには接続されず、隣接する第１歯（第２歯）同士が相互に接続されている点で共通するが、実施形態６では、実施形態５にはない補強フレームが設けられている点で、実施形態５と実施形態６とが異なる。
【００３４】
以下、本考案の実施形態について図面を参照しながら説明する。
【００３５】
（実施形態１）
図１は、本考案の実施形態１によるヘアクリップ１を説明するための斜視図である。
【００３６】
このヘアクリップ１は髪を留めるヘアクリップであって、第１クリップ片１１０と、第２クリップ片１２０と、第１クリップ片１１０と第２クリップ片１２０とを開閉可能に接続するヒンジ部材１３０とを有する。なお、図１では、第１クリップ片１１０と第２クリップ片１２０とを明確に区別するために、第２クリップ片１２０の構成部材はグレーに着色している。さらに、以下で言及する図３、図５、図７、図９、図１１においても第２クリップ片の構成部材は同様に着色している。
【００３７】
ここで、第１クリップ片１１０と第２クリップ片１２０とは、ヒンジ部材１３０の軸Ａｘ（図２参照）を中心とする回動により髪を挟む一対のクリップ片を構成している。なお、実施形態１では、第１クリップ片１１０と第２クリップ片１２０とは同一の構造を有しているが、第１クリップ片１１０と第２クリップ片１２０とはその構造が異なるものでもよい。例えば、第１クリップ片１１０と第２クリップ片１２０とでは、第１歯と第２歯との形状が異なっていてもよいし、あるいは複数の第１歯の配列と複数の第２歯の配列とが異なっていてもよい。
【００３８】
以下、ヘアクリップ１の第１クリップ片１１０、第２クリップ片１２０、ヒンジ部材１３０を具体的に説明する。
【００３９】
（第１クリップ片１１０）
第１クリップ片１１０は、複数の第１歯と、複数の第１歯を支持する基部とを有する。ここで、基部は、複数の線状フレームを接合してなる枠体（基部フレーム）１１１であり、基部フレーム１１１の一部には、ヒンジ部材１３０を構成する第１軸受部１３１が取り付けられている。
【００４０】
複数の第１歯は複数の第１歯Ａおよび複数の第１歯Ｂを含み、複数の第１歯Ａは、第１クリップ片１１０の両端に位置する２つの外側第１歯１１０ａであり、複数の第１歯Ｂは、２つの外側第１歯１１０ａの間に位置する２つの内側第１歯１１０ｂである。２つの外側第１歯１１０ａおよび２つの内側第１歯１１０ｂは同じ略Ｖ字形状を有する。
【００４１】
例えば、外側第１歯１１０ａは、第１の直線フレーム片１１の一端と第２の直線フレーム片１２の一端とをこれらのフレーム片１１および１２が略Ｖ字形状をなすように接合したものである。２つの外側第１歯１１０ａと２つの内側第１歯１１０ｂとは、第１軸受部１３１の軸Ａｘの方向（ヒンジ軸方向）ＤＸ（図２参照）に平行な方向に配列されている。
【００４２】
ここでは、略Ｖ字形状の具体的な形状として、Ｖ字の幅方向の寸法が約１ｃｍであり、Ｖ字の高さ方向の寸法が約２ｃｍ〜約２．５ｃｍである形状が用いられ、このため、略Ｖ字形状の角度は、約２２°〜約２８°の範囲となる。この略Ｖ字形状の一例として、Ｖ字の幅方向の寸法が約１ｃｍであり、かつ、Ｖ字の高さ方向の寸法が約２．２５ｃｍである場合、略Ｖ字形状の角度は、約２５°となる。
【００４３】
ここで、略Ｖ字形状の具体的な寸法、すなわち、Ｖ字の幅方向の寸法および高さ方向の寸法は、上記の寸法に限定されるものではない。従って、略Ｖ字形状の角度も、上記の約２２°〜約２８°の範囲より広い約２０°〜約４０°の範囲内の角度でも、さらにもっと広い約１０°〜約５０°の範囲内の角度でもよい。
【００４４】
ここで、２つの外側第１歯１１０ａの一端が基部フレーム１１１に接続され、２つの内側第１歯１１０ｂの一端同士が連結フレーム１１２により接続され、内側第１歯１１０ｂの一端とこれに隣接する外側第１歯１１０ａの一端とが連結フレーム１１２により接続されている。
【００４５】
（第２クリップ片１２０）
第２クリップ片１２０も第１クリップ片１１０と同じ構造を有しており、第１クリップ片１１０の外側第１歯１１０ａ、内側第１歯１１０ｂ、基部フレーム１１１、連結フレーム１１２、および第１軸受部１３１に相当する外側第２歯１２０ａ、内側第２歯１２０ｂ、基部フレーム１２１、連結フレーム１２２、および第２軸受部１３２を有している。
【００４６】
（ヒンジ部材１３０）
ヒンジ部材１３０は、第１クリップ片１１０および第２クリップ片１２０を回動自在に接続する部材であり、ここでは、第１クリップ片１１０の基部フレーム１１１に取り付けられた第１軸受部１３１と、第２クリップ片１２０の基部フレーム１２１に取り付けられた第２軸受部１３２と、支持軸部１３３とを含み、第１軸受部１３１および第２軸受部１３２を支持軸部１３３で回動自在に支持するとともに、バネ部材（図示せず）により一対のクリップ片が閉じる方向に付勢する構造となっている。また、基部フレーム１１１、１２１には、バネの付勢力に抗して一対のクリップ片を開けるための把持部１０が形成されている。
【００４７】
このような構成のヘアクリップ１において第１クリップ片１１０と第２クリップ片１２０とで髪を挟んだ状態での複数の第１歯と複数の第２歯との位置関係を説明する。
【００４８】
図２は、図１に示すヘアクリップ１をＡ方向から見た平面図であり、ヘアクリップ１を構成する一対のクリップ片１１０ａ、１２０ｂにおける略Ｖ字形状の第１歯、第２歯の頂点の位置を示す。
【００４９】
このヘアクリップ１では、第１クリップ片１１０の外側第１歯（第１歯Ａ）１１０ａの略Ｖ字形状の頂点Ｖ１ａと、第２クリップ片１２０の外側第２歯（第２歯Ａ）１２０ａの略Ｖ字形状の頂点Ｖ２ａとは、略Ｖ字の頂点の位置がヒンジ部材１３０の軸方向Ｄｘにずれており、第１クリップ片１１０の内側第１歯（第１歯Ｂ）１１０ｂの略Ｖ字形状の頂点Ｖ１ｂと、第２クリップ片１２０の内側第２歯（第２歯Ｂ）１２０ｂの略Ｖ字形状の頂点Ｖ２ｂとは、略Ｖ字の頂点の位置がヒンジ部材１３０の軸方向（ヒンジ軸方向）Ｄｘにずれている。
【００５０】
このように第１クリップ片１１０と第２クリップ片１２０との間で、略Ｖ字形状の第１歯の頂点と略Ｖ字形状の第２歯の頂点がヒンジ軸方向Ｄｘに位置がずれていることで、一対のクリップが髪を押さえる方向に対して傾斜した第１歯の側辺部と第２歯Ｂの側辺部とで髪を挟むことができ、第１歯と第２歯とが髪を挟む力が、一対のクリップが髪を押さえる力を増幅したものとなる。これにより髪をより強く挟むことが可能となり、その結果、ヘアクリップで髪を留めた状態を長持ちさせることができる。
【００５１】
また、この実施形態１のヘアクリップ１では、第１クリップ片１１０の第１歯１１０ａ、１１０ｂ、および第２クリップ片１２０の第２歯１２０ａ、１２０ｂがヒンジ軸Ａｘに平行に一列に並んでいる。このため、ヘアクリップ１の対向する第１歯および第２歯を配列する領域の幅を狭く抑えて、ヘアクリップ１のヒンジ軸Ａｘに垂直な方向Ｄｙの寸法を小さくできる。
【００５２】
なお、実施形態１では、ヘアクリップ１として、第１クリップ片１１０の外側第１歯１１０ａ（第１歯Ａ）と第２クリップ片１２０の外側第２歯２１０ａ（第２歯Ａ）との間でそれぞれ略Ｖ字の頂点の位置がヒンジ軸方向Ｄｘにずれており、さらに、第１クリップ片１１０の内側第１歯１１０ｂ（第１歯Ｂ）と第２クリップ片１２０の内側第２歯１２０ｂ（第２歯Ｂ）との間でそれぞれ略Ｖ字の頂点の位置がヒンジ軸方向Ｄｘにずれているものを示したが、第１歯Ａと第２歯Ａとの位置をずらす方向は、ヒンジ軸方向Ｄｘに限定されず、ヒンジ軸方向Ｄｘに垂直な方向Ｄｙでもよいし、ヒンジ軸方向Ｄｘとこれに垂直な方向Ｄｙの両方向であってもよい。第１歯Ｂと第２歯Ｂとの位置をずらす方向も、ヒンジ軸方向Ｄｘに限定されず、ヒンジ軸方向Ｄｘに垂直な方向Ｄｙでもよいし、ヒンジ軸方向Ｄｘとこれに垂直な方向Ｄｙの両方向であってもよい。
【００５３】
また、実施形態１では、第１クリップ片（第２クリップ片）における両端の第１歯（第２歯）のみが基部フレームに接続され、両端の第１歯（第２歯）以外のものは基部フレームには接続されず、隣接する第１歯（第２歯）同士が相互に接続されているが、ヘアクリップの第１クリップ片（第２クリップ片）における複数の第１歯（第２歯）がすべて個別に基部フレームに接続されていてもよく、以下の実施形態２としてこのような構成のヘアクリップを説明する。
【００５４】
（実施形態２）
図３は、本考案の実施形態２によるヘアクリップ２を説明するための斜視図である。
【００５５】
このヘアクリップ２は、実施形態１のヘアクリップ１における第１、第２クリップ片１１０、１２０に相当する第１、第２のクリップ片２１０、２２０を備えている。このヘアクリップ２のヒンジ部材１３０は実施形態１におけるものと同一である。
【００５６】
（第１クリップ片２１０）
第１クリップ片２１０は、実施形態１の第１クリップ片１１０と同様、複数の第１歯と、複数の第１歯を支持する基部とを有する。
【００５７】
ここで、基部は、複数の線状フレームを接合してなる枠体（基部フレーム）２１１であり、基部フレーム２１１の一端には、ヒンジ部材１３０を構成する第１軸受部１３１が取り付けられ、さらに、基部フレーム２１１には把持部２０が形成されている。
【００５８】
第１クリップ片２１０は、ヒンジ部材１３０のヒンジ軸方向Ｄｘ（図４参照）に沿って配列された３つの第１歯を含む。ここで、３つの第１歯は、中央に位置する１つの中央第１歯（第１歯Ａ）２１０ａと、その両側に位置する２つの側部第１歯（第１歯Ｂ）２１０ｂとであり、これらの３つの第１歯はそれぞれ、連結フレーム２１２を介して基部フレーム２１１に接続されている。
【００５９】
１つの中央第１歯２１０ａと２つの側部第１歯２１０ｂは同じ略Ｖ字形状を有する。
【００６０】
例えば、中央第１歯２１０ａは、第１の直線フレーム片２１の一端と第２の直線フレーム片２２の一端とをこれらのフレーム片２１および２２が略Ｖ字形状をなすように接合したものである。なお、中央第１歯２１０ａの略Ｖ字形状の角度は、実施形態１のヘアクリップ１における第１歯のものと同一である。
【００６１】
（第２クリップ片２２０）
第２クリップ片２２０も第１クリップ片２１０と同じ構造を有しており、第１クリップ片２１０の中央第１歯２１０ａ、側部第１歯２１０ｂ、基部フレーム２１１、連結フレーム２１２、および第１軸受部１３１に相当する中央第２歯２２０ａ、側部第２歯２２０ｂ、基部フレーム２２１、連結フレーム２２２、および第２軸受部１３２を有している。
【００６２】
このようなヘアクリップ２において第１クリップ片２１０と第２クリップ片２２０とで髪を挟んだ状態での複数の第１歯と複数の第２歯との位置関係を説明する。
【００６３】
図４は、図３に示すヘアクリップ２をＢ方向から見た平面図であり、ヘアクリップ２を構成する一対のクリップ片２１０ａ、２２０ｂにおける略Ｖ字形状歯の頂点の位置を示す。
【００６４】
このヘアクリップ２では、第１クリップ片２１０の中央第１歯（第１歯Ａ）２１０ａの略Ｖ字形状の頂点Ｖ１ａと、第２クリップ片２２０の中央第２歯（第２歯Ａ）２２０ａの略Ｖ字形状の頂点Ｖ２ａとは、ヒンジ部材１３０の軸方向Ｄｘに位置がずれている。第１クリップ片２１０の側部第１歯（第１歯Ｂ）２１０ｂの略Ｖ字形状の頂点Ｖ１ｂと、第２クリップ片２２０の側部第２歯（第２歯Ｂ）２２０ｂの略Ｖ字形状の頂点Ｖ２ｂとは、ヒンジ部材１３０の軸方向Ｄｘに位置がずれている。
【００６５】
このような構成の実施形態２のヘアクリップ２では、実施形態１のヘアクリップ１の効果に加えて、第１クリップ片２１０における第１歯２１０ａ、２１０ｂがすべてが基部フレーム２１０に連結フレーム１１２により個別に接続され、第２クリップ片２２０における第２歯２２０ａ、２２０ｂがすべて基部フレーム２２０に連結フレーム２１２により個別に接続されているので、第１クリップ片２１０および第２クリップ片２２０で髪を挟んだときに、第１歯２１０ａ、２１０ｂおよび第２歯２２０ａ、２２０ｂが基部フレーム２１１、２２１に対して変位するのを抑制することができる。
【００６６】
なお、ヘアクリップにおける第１歯および第２歯の略Ｖ字形状の頂点の位置は、実施形態１および実施形態２のヘアクリップのように一列に並んでいるものに限定されず、二列に並んでいてもよく、以下の実施形態では、ヘアクリップとして、ヘアクリップにおける複数の第１歯および複数の第２歯の略Ｖ字形状の頂点の位置がヒンジ軸方向Ｄｘに沿って二列に並ぶものを説明する。
【００６７】
（実施形態３）
図５は、本考案の実施形態３によるヘアクリップ３を説明するための斜視図である。
【００６８】
このヘアクリップ３は、実施形態１のヘアクリップ１における第１、第２クリップ片１１０、１２０に相当する第１、第２のクリップ片３１０、３２０を備えている。このヘアクリップ３のヒンジ部材１３０は実施形態１におけるものと同一である。
【００６９】
（第１クリップ片３１０）
第１クリップ片３１０は、実施形態１の第１クリップ片１１０と同様、複数の第１歯と、複数の第１歯を支持する基部とを有する。
【００７０】
ここで、基部は、複数の線状フレームを接合してなる枠体（基部フレーム）３１１であり、基部フレーム３１１の一端には、ヒンジ部材１３０を構成する第１軸受部１３１が取り付けられ、さらに、基部フレーム３１１には把持部３０が形成されている。
【００７１】
第１クリップ片３１０は、ヒンジ部材１３０のヒンジ軸方向Ｄｘ（図６参照）に沿って二列に千鳥状に列された４つの第１歯を含む。ここで、４つの第１歯は、２つの外側第１歯（第１歯Ａ）３１０ａと２つの内側第１歯（第１歯Ｂ）３１０ｂであり、２つの外側第１歯３１０ａは、二列の配列のうちの第１軸受部１３１から遠い方の外側の配列をなし、２つの内側第１歯３１０ｂは、二列の配列のうちの第１軸受部１３１に近い方の内側の配列をなす。
【００７２】
２つの外側第１歯３１０ａおよび２つの内側第１歯３１０ｂはいずれも略Ｖ字形状を有する。
【００７３】
例えば、外側第１歯３１０ａは、第１の直線フレーム片３１の一端と第２の直線フレーム片３２の一端とをこれらのフレーム片３１および３２が略Ｖ字形状をなすように接合したものである。なお、外側第１歯３１０ａの略Ｖ字形状の角度は、実施形態１のヘアクリップ１における第１歯のものと同一である。
【００７４】
（第２クリップ片３２０）
第２クリップ片３２０も第１クリップ片３１０と同じ構造を有しており、第１クリップ片３１０の外側第１歯３１０ａ、内側第１歯３１０ｂ、基部フレーム３１１、および第１軸受部１３１に相当する外側第２歯（第２歯Ａ）３２０ａ、内側第２歯（第２歯Ｂ）３２０ｂ、基部フレーム３２１、および第２軸受部１３２を有している。
【００７５】
このようなヘアクリップ３では、第１クリップ片３１０と第２クリップ片３２０とで髪を挟んだ状態での複数の第１歯と複数の第２歯との位置関係は以下の関係となる。
【００７６】
図６は、図５に示すヘアクリップ３をＣ方向から見た平面図であり、ヘアクリップ３を構成する一対のクリップ片３１０ａ、３２０ｂにおける略Ｖ字形状歯の頂点の位置を示す。
【００７７】
このヘアクリップ３では、第１クリップ片３１０の外側第１歯（第１歯Ａ）３１０ａの略Ｖ字形状の頂点Ｖ１ａと、第２クリップ片３２０の内側第２歯（第２歯Ａ）３２０ａの略Ｖ字形状の頂点Ｖ２ａとは、ヒンジ部材１３０の軸方向Ｄｘに位置がずれている。第１クリップ片３１０の内側第１歯（第１歯Ｂ）３１０ｂの略Ｖ字形状の頂点Ｖ１ｂと、第２クリップ片３２０の内側第２歯２２０ｂ（第２歯Ｂ）３２０ｂの略Ｖ字形状の頂点Ｖ２ｂとは、ヒンジ部材１３０の軸方向Ｄｘに位置がずれている。
【００７８】
さらに、外側第１歯（第１歯Ａ）３１０ａの略Ｖ字形状の頂点Ｖ１ａと、第２クリップ片３２０の内側第２歯（第２歯Ｂ）３２０ｂの略Ｖ字形状の頂点Ｖ２ｂとは、ヒンジ部材１３０の軸方向に垂直な方向Ｄｙに位置がずれており、内側第１歯（第１歯Ｂ）３１０ｂの略Ｖ字形状の頂点Ｖ１ｂと、外側第２歯（第２歯Ａ）３２０ａの略Ｖ字形状の頂点Ｖ２ａとは、ヒンジ部材１３０の軸方向に垂直な方向Ｄｙに位置がずれている。
【００７９】
このような構成の実施形態３のヘアクリップ３では、隣接する第１歯Ａと第２歯Ａとがヒンジ部材１３０の軸方向Ｄｘにずれ、隣接する第１歯Ｂと第２歯Ｂとがヒンジ部材１３０の軸方向Ｄｘにずれており、さらに、隣接する第１歯Ａと第２歯Ｂとがヒンジ部材１３０の軸方向に垂直な方向Ｄｙにずれ、隣接する第１歯Ｂと第２歯Ａとがヒンジ部材１３０の軸方向に垂直な方向Ｄｙにずれているので、ヒンジ部材１３０の軸方向Ｄｘにずれている第１歯および第２歯と、ヒンジ部材１３０の軸方向に垂直な方向Ｄｙにずれている第１歯および第２歯とで髪をより一層強く挟むことが可能となり、その結果、ヘアクリップで髪を留めた状態をより一層長持ちさせることができる。
【００８０】
なお、実施形態３では、第１歯と第２歯との１つの配列と、第１歯と第２歯とのもう１つの配列とが同じ長さである場合を示したが、第１歯と第２歯との１つの配列が第１歯と第２歯とのもう一つの配列よりも長くてもよく、以下の実施形態４では、このような構成のヘアクリップを示す。
【００８１】
（実施形態４）
図７は、本考案の実施形態４によるヘアクリップ４を説明するための斜視図である。
【００８２】
この実施形態４のヘアクリップ４は、実施形態３のヘアクリップ３において、第１歯と第２歯とを交互に配列してなる１つの配列の長さを、第１歯と第２歯とを交互に配列してなるもう１つの配列の長さより長くしたものであり、以下、この実施形態４のヘアクリップ４を具体的に説明する。
【００８３】
このヘアクリップ４は、実施形態３のヘアクリップ３における第１、第２クリップ片３１０、３２０に相当する第１、第２のクリップ片４１０、４２０を備えている。このヘアクリップ４のヒンジ部材１３０は実施形態３におけるものと同一である。
【００８４】
（第１クリップ片４１０）
第１クリップ片４１０は、実施形態３の第１クリップ片３１０と同様、複数の第１歯と、複数の第１歯を支持する基部とを有する。ここで、基部は、実施形態３の基部と同様の基部フレーム４１１であり、基部フレーム４１１には、ヒンジ部材１３０の第１軸受部１３１が取り付けられ、さらに、把持部４０が形成されている。
【００８５】
第１クリップ片４１０は、ヒンジ部材１３０のヒンジ軸方向Ｄｘ（図８参照）に沿って二列に配置された６つの第１歯を含む。ここで、６つの第１歯は、二列のうちのヒンジ軸Ａｘから遠い方の列を形成する４つの前列第１歯（第１歯Ａ）４１０ａと、二列のうちのヒンジ軸Ａｘに近い方の列を形成する２つの後列第１歯（第１歯Ｂ）４１０ｂとである。
【００８６】
４つの前列第１歯４１０ａおよび２つの後列第１歯４１０ｂはいずれも略Ｖ字形状を有する。
【００８７】
例えば、前列第１歯４１０ａは、第１の直線フレーム片４１の一端と第２の直線フレーム片４２の一端とをこれらのフレーム片４１および４２が略Ｖ字形状をなすように接合したものである。なお、外側第１歯４１０ａの略Ｖ字形状の角度は、実施形態１のヘアクリップ１における第１歯のものと同一である。
【００８８】
（第２クリップ片４２０）
第２クリップ片４２０も第１クリップ片４１０と同じ構造を有しており、第１クリップ片４１０の前列第１歯４１０ａ、後列第１歯４１０ｂ、基部フレーム４１１、および第１軸受部１３１に相当する前側第２歯（第２歯Ａ）４２０ａ、後列第２歯（第２歯Ｂ）４２０ｂ、基部フレーム４２１、および第２軸受部１３２を有している。
【００８９】
このようなヘアクリップ４では、第１クリップ片４１０と第２クリップ片４２０とで髪を挟んだ状態での複数の第１歯と複数の第２歯との位置関係は以下の関係となる。
【００９０】
図８は、図７に示すヘアクリップ４をＤ方向から見た平面図であり、ヘアクリップ４を構成する一対のクリップ片４１０ａ、４２０ｂにおける略Ｖ字形状歯の頂点の位置を示す。
【００９１】
このヘアクリップ４では、一対のクリップ片４１０ａ、４２０ｂにおける略Ｖ字形状歯の頂点の位置は、実施形態３のヘアクリップ３におけるものと同様であり、実施形態４のヘアクリップ４は、実施形態３のヘアクリップ３とは、第１歯と第２歯とが交互に配列されている前方側の列が第１歯と第２歯とが交互に配列されている後方側の列よりも長い点で異なる。
【００９２】
このような構成の実施形態４では、第１歯と第２歯とが交互に配列されている前方側の列が第１歯と第２歯とが交互に配列されている後方側の列よりも長いので、実施形態３の効果に加えて、ヘアクリップ４の先端側ではより広い幅で髪の毛を掴むことが可能である。
【００９３】
なお、複数の第１歯と複数の第２歯とがヒンジ軸方向に沿って二列に並ぶ構造のヘアクリップは、実施形態３および４のヘアクリップのように複数の第１歯の各々および複数の第２歯の各々が基部フレームに直に接続されたものに限定されない。
【００９４】
例えば、第１クリップ片（第２クリップ片）は、複数の第１歯（第２歯）を連結してなる連結体の両端のみを基部フレームに接続したものでもよく、以下の実施形態５および６ではこのような構成のヘアクリップを説明する。
【００９５】
（実施形態５）
図９は、本考案の実施形態５によるヘアクリップ５を説明するための斜視図である。
【００９６】
このヘアクリップ５は、実施形態１のヘアクリップ１における第１、第２クリップ片１１０、１２０に相当する第１、第２のクリップ片５１０、５２０を備えている。このヘアクリップ５のヒンジ部材１３０は実施形態１におけるものと同一である。
【００９７】
第１クリップ片５１０は、実施形態１の第１クリップ片１１０と同様、複数の第１歯と、複数の第１歯を支持する基部とを有する。
【００９８】
ここで、基部は、複数の線状フレームを接合してなる枠体（基部フレーム）５１１であり、基部フレーム５１１の一部には、ヒンジ部材１３０を構成する第１軸受部１３１が取り付けられ、さらに、基部フレーム５１１には把持部５０が形成されている。
【００９９】
複数の第１歯は、６個の第１歯を連結フレーム５１２で連結した連結体であり、この連結体の両端が基部フレーム５１１の両端に接続されている。ここで、６個の第１歯は千鳥状にヒンジ軸方向Ｄｘに沿って配置されている。すなわち、第１クリップ片５１０における図９の紙面の右側から奇数番目の第１歯（第１歯Ａ）５１０ａは、偶数番目の第１歯（第１歯Ｂ）５１０ｂよりもヒンジ部材１３０から遠い位置に位置している。
【０１００】
ここで、奇数番目の第１歯（第１歯Ａ）５１０ａは、偶数番目の第１歯（第１歯Ｂ）５１０ｂと同じ構造を有し、第１の直線フレーム片５１の一端と第２の直線フレーム片５２の一端とをこれらのフレーム片５１および５２が略Ｖ字形状をなすように接合したものである。なお、奇数番目の第１歯（第１歯Ａ）５１０ａおよび偶数番目の第１歯（第１歯Ｂ）５１０ｂの略Ｖ字形状の角度は、実施形態１のヘアクリップ１における第１歯のものと同一である。
【０１０１】
（第２クリップ片５２０）
第２クリップ片５２０も第１クリップ片５１０と同じ構造を有しており、第１クリップ片５１０の第１歯Ａ５１０ａ、第１歯Ｂ５１０ｂ、基部フレーム５１１、および第１軸受部１３１に相当する第２歯Ａ５２０ａ、第２歯Ｂ５２０ｂ、基部フレーム５２１、および第２軸受部１３２を有している。
【０１０２】
このようなヘアクリップ５では、第１クリップ片５１０と第２クリップ片５２０とで髪を挟んだ状態での複数の第１歯と複数の第２歯との位置関係は以下の関係となる。
【０１０３】
図１０は、図９に示すヘアクリップ５をＥ方向から見た平面図であり、ヘアクリップ５を構成する一対のクリップ片５１０ａ、５２０ｂにおける略Ｖ字形状歯の頂点の位置を示す。
【０１０４】
ここで、ヘアクリップ５を構成する一対のクリップ片５１０ａ、５２０ｂにおける略Ｖ字形状歯の頂点の位置は、図１０に示すように、実施形態３のヘアクリップ３におけるものと同様であり、従って、実施形態３のヘアクリップ３と同様、ヒンジ部材１３０の軸方向Ｄｘにずれている第１歯および第２歯と、ヒンジ部材１３０の軸方向に垂直な方向Ｄｙにずれている第１歯および第２歯とで髪をより一層強く挟むことが可能となり、その結果、ヘアクリップで髪を留めた状態をより一層長持ちさせることができる。
【０１０５】
（実施形態６）
図１１は、本考案の実施形態６によるヘアクリップ６を説明するための斜視図である。
【０１０６】
この実施形態６のヘアクリップ６は、実施形態５のヘアクリップ５と同様に、第１クリップ片６１０および第２クリップ片６２０を備えたものであり、この実施形態６のヘアクリップ６では、第１クリップ片６１０は、実施形態５の第１クリップ片５１０において第１歯Ａ５１０ａを補強する補強フレームを備えたものであり、第２クリップ片６２０は、実施形態５の第２クリップ片５２０において、第２歯Ａ５２０ａを補強する補強フレームを備えたものである。
【０１０７】
すなわち、第１クリップ片６１０は、実施形態５の第１クリップ片５１０と同様、複数の第１歯と、複数の第１歯を支持する基部とを有する。ここで、基部は、複数の線状フレームを接合してなる枠体（基部フレーム）６１１であり、基部フレーム６１１の一部には、ヒンジ部材１３０を構成する第１軸受部１３１が取り付けられ、さらに、基部フレーム６１１には把持部６０が形成されている。
【０１０８】
複数の第１歯は、４個の第１歯を連結フレーム６１２で連結した連結体であり、この連結体の両端が基部フレーム６１１の両端に接続されている。ここで、４個の第１歯は千鳥状にヒンジ軸Ａｘに平行な方向Ｄｘ（図１２参照）に沿って配置されている。すなわち、第１クリップ片６１０における図１１の紙面の右側から奇数番目の第１歯（第１歯Ａ）６１０ａは、偶数番目の第１歯（第１歯Ｂ）６１０ｂよりもヒンジ部材１３０から遠い位置に位置している。
【０１０９】
ここで、奇数番目の第１歯（第１歯Ａ）６１０ａは、偶数番目の第１歯（第１歯Ｂ）６１０ｂと同じ構造を有し、第１の直線フレーム片６１の一端と第２の直線フレーム片６２の一端とをこれらのフレーム片６１および６２が略Ｖ字形状をなすように接合したものである。なお、奇数番目の第１歯（第１歯Ａ）６１０ａおよび偶数番目の第１歯（第１歯Ｂ）の略Ｖ字形状の角度は、実施形態１のヘアクリップ１における第１歯のものと同一である。
【０１１０】
（第２クリップ片６２０）
第２クリップ片６２０も第１クリップ片６１０と同じ構造を有しており、第１クリップ片６１０の第１歯Ａ６１０ａ、第１歯Ｂ６１０ｂ、基部フレーム６１１、補強フレーム６１３および第１軸受部１３１に相当する第２歯Ａ６２０ａ、第２歯Ｂ６２０ｂ、基部フレーム６２１、補強フレーム６２３および第２軸受部１３２を有している。
【０１１１】
このようなヘアクリップ６では、第１クリップ片６１０と第２クリップ片６２０とで髪を挟んだ状態での複数の第１歯と複数の第２歯との位置関係は以下の関係となる。
【０１１２】
図１２は、図１１に示すヘアクリップ６をＦ方向から見た平面図であり、ヘアクリップ６を構成する一対のクリップ片６１０ａ、６２０ｂにおける略Ｖ字形状歯の頂点の位置を示す。
【０１１３】
ここで、ヘアクリップ６を構成する一対のクリップ片６１０ａ、６２０ｂにおける略Ｖ字形状歯の頂点の位置は、図１２に示すように、実施形態３と同一であり、従って、実施形態３のヘアクリップ３と同様、ヒンジ部材１３０の軸方向と平行な方向Ｄｘにずれている第１歯および第２歯と、ヒンジ部材１３０の軸方向に垂直な方向Ｄｙにずれている第１歯および第２歯とで髪をより一層強く挟むことが可能となり、その結果、ヘアクリップで髪を留めた状態をより一層長持ちさせることができる。
【０１１４】
さらに、このヘアクリップ６では、第１クリップ片６１０は、第１歯Ａ６１０ａを補強する補強フレーム６１３を備え、第２クリップ片６２０は、第２歯Ａ６２０ａを補強する補強フレーム６２３を備えているので、第１クリップ片６１０および第２クリップ片６２０で髪を挟んだときに、第１歯Ａ６１０ａおよび第２歯Ａ６２０ａが変形するのを抑制することができ、より強い力で髪を挟むことが可能となる。
【０１１５】
以上のように、本考案の好ましい実施形態を用いて本考案を例示してきたが、本考案は、この実施形態に限定して解釈されるべきものではない。本考案は、実用新案登録請求の範囲によってのみその範囲が解釈されるべきであることが理解される。当業者は、本考案の具体的な好ましい実施形態の記載から、本考案の記載および技術常識に基づいて等価な範囲を実施することができることが理解される。本明細書において引用した文献は、その内容自体が具体的に本明細書に記載されているのと同様にその内容が本明細書に対する参考として援用されるべきであることが理解される。
【産業上の利用可能性】
【０１１６】
本考案は、ヘアクリップの分野において、髪をより強く挟むことができ、これによりヘアクリップで髪を留めた状態を長持ちさせることができるヘアクリップを得ることができるものとして有用である。
【符号の説明】
【０１１７】
１〜６  ヘアクリップ１
１１０、２１０、３１０、４１０、５１０、６１０  第１クリップ片
１１０ａ、２１０ａ、３１０ａ、４１０ａ、５１０ａ、６１０ａ  第１歯（第１歯Ａ）
１１０ｂ、２１０ｂ、３１０ｂ、４１０ｂ、５１０ｂ、６１０ｂ  第１歯（第１歯Ｂ）
１２０、２２０、３２０、４２０、５２０、６２０  第２クリップ片
１２０ａ、２２０ａ、３２０ａ、４２０ａ、５２０ａ、６２０ａ  第２歯（第２歯Ａ）
１２０ｂ、２２０ｂ、３２０ｂ、４２０ｂ、５２０ｂ、６２０ｂ  第２歯（第２歯Ｂ）
Ｖ１ａ  第１歯Ａ頂点
Ｖ１ｂ  第１歯Ｂ頂点
Ｖ２ａ  第２歯Ａ頂点
Ｖ２ｂ  第２歯Ｂ頂点
【図１】
0003226029.tif 000003
【図２】
0003226029.tif 000004
【図３】
0003226029.tif 000005
【図４】
0003226029.tif 000006
【図５】
0003226029.tif 000007
【図６】
0003226029.tif 000008
【図７】
0003226029.tif 000009
【図８】
0003226029.tif 000010
【図９】
0003226029.tif 000011
【図１０】
0003226029.tif 000012
【図１１】
0003226029.tif 000013
【図１２】
0003226029.tif 000014